(57)【要約】本発明は、３６０度または３６０度未満（例えば、１８０度や、２７０度など）のパノラマサラウンド画像を観察者に提供するコスト効率の高いサラウンド表示システムを開示する。サラウンド画像は、動くビデオまたは静止の写真を含む。【選択図】図１
2019518977.tif 000002
【特許請求の範囲】
【請求項１】
ソース画像を表示するための平面表示パネルと、前記平面表示パネルに対向して設けられ、前記ソース画像を反射するためのサラウンド反射面と、を含み、観察者が前記ソース画像に対応するサラウンド画像を観察できるように、前記サラウンド反射面を通じて前記ソース画像を反射し、前記サラウンド画像は、前記観察者に対して前記サラウンド反射面の後に形成された虚像であり、前記サラウンド画像は、いかなるスクリーンにも形成されず、前記観察者は、前記サラウンド反射面に囲まれ、かつ前記サラウンド反射面の内周に位置することを特徴とする反射式サラウンド表示システム。
【請求項２】
前記観察者は、カメラまたは人の裸眼であることを特徴とする請求項１に記載の反射式サラウンド表示システム。
【請求項３】
前記ソース画像は、魚眼画像であり、前記魚眼画像は、動くビデオまたは静止の写真であり、前記サラウンド画像は、パノラマサラウンド画像であることを特徴とする請求項２に記載の反射式サラウンド表示システム。
【請求項４】
前記ソース画像は、ミラー反転処理がなされた魚眼画像であることを特徴とする請求項３に記載の反射式サラウンド表示システム。
【請求項５】
前記サラウンド反射面は、母線が中心軸線の周りに回転して形成した軸対称形状であり、前記サラウンド反射面の中心軸線は、前記平面表示パネルに垂直し、かつ前記魚眼画像の中心を通ることを特徴とする請求項４に記載の反射式サラウンド表示システム。
【請求項６】
前記サラウンド反射面の母線は、直線または曲線であることを特徴とする請求項５に記載の反射式サラウンド表示システム。
【請求項７】
前記曲線は、放物線または弧線であることを特徴とする請求項６に記載の反射式サラウンド表示システム。
【請求項８】
前記サラウンド反射面のサラウンド角度は、３６０度以下であり、前記ソース画像の有効画像領域は、前記サラウンド反射面のサラウンド角度に対応していることを特徴とする請求項１から７のいずれか１項に記載の反射式サラウンド表示システム。
【請求項９】
前記サラウンド反射面のサラウンド角度は、３６０度、２７０度、１８０度または９０度であることを特徴とする請求項８に記載の反射式サラウンド表示システム。
【請求項１０】
１層または多層の前記サラウンド反射面を同軸方式で配置し、前記サラウンド反射面が１層を超えた場合、前記サラウンド反射面は、透明な材料で作製されるべきであり、前記ソース画像の有効画像領域は、２層またはより多くの層の前記サラウンド反射面と一々対応していることを特徴とする請求項１から７のいずれか１項に記載の反射式サラウンド表示システム。
【発明の詳細な説明】
【技術分野】
【０００１】
本発明は、反射式サラウンド表示システムに関し、特に、ミラー反転処理がなされた魚眼画像をソース画像として用い、前記ソース画像とサラウンド反射面との間の特定の配置を利用し、光学反射を通じてサラウンド虚像を形成することにより、仮想現実の体験を観察者に与える反射式パノラマサラウンド表示システムに関する。
【背景技術】
【０００２】
パノラマサラウンド表示システムは、様々な用途に好適に用いられることが可能である。例えば、コンピュータシステムのスクリーンの拡張、遠隔通信の提供、ワイドスクリーンのパノラマ映画の再生、及びシミュレーション、トレーニング、仮想旅行またはビデオゲームのための仮想現実を作成することなどに用いられることが可能である。現在、従来技術における利用可能な関連解決方法は、１）ＶＲ  ＨＭＤ（ヘッドマウントディスプレイ）を利用した仮想現実システムと、２）複数の平面ディスプレイを有するサラウンド表示システムと、３）複数台のプロジェクタを用いて部屋の内壁または他の表面に投影するパノラマ投影システムと、４）曲面テレビと、を含む。方法１）について、観察者がゴーグルなどのようなヘッドマウントディスプレイを着用しなければならず、仮想現実を裸眼で直接体験できないため、ユーザの体験はよくない。方法２）について、特定のサプライヤーのソフトウェアまたはハードウェアを利用してパノラマ画像を分割し、さらに複数の平面ＬＥＤディスプレイにそれぞれ表示させる必要がある。このため、方法２）では、数多くの平面ディスプレイを備えてはじめて３６０度のサラウンド体験効果を実現できる場合が多い。実際には、方法２）を用いた多くの具体的な適用において、画角が１８０度未満である。方法３）は、投影スクリーンまたは壁面にサラウンド画像を投射することに依存するため、特定の現場環境（例えば、部屋内）が要求され、さらに特定の現場にプロジェクタを取り付けるまたは配置することが要求される。なお、方法３）では、ソフトウェアおよび予備処理ツールを用いて分割処理を行い、現場の次元に基づいて投影された画像を組み合わせることなどが要求される場合が多いので、その適用範囲は大きく制限され、コストも比較的に高い。方法４）について、水平方向の画角が１８０度を遥かに下回ると同時に、適用範囲が制限される問題とコストが高い問題も存在する。
【０００３】
また、魚眼レンズは、焦点距離が短く（ｆ＝６〜１６ｍｍ）、視野が極めて広いという利点があり（画角は約１８０度〜２７０度）、仮想現実、全天周映画、遠隔テレビ会議、パイプ検出、医療の内視鏡検査、ロボットによるナビゲーション等の分野で幅広く適用されている。また、パノラマ監視の面では、マルチレンズシステムと比べて、魚眼レンズは、さらに構造がコンパクトで、体積が比較的に小さく、損傷されにくい、技術的要求が低い、などの特徴があるため、魚眼レンズを中心としたパノラマ監視システムも、近年、パノラマ監視に関する研究の焦点の一つとなっている。しかし、魚眼レンズで撮影した画像は歪みがあり、人の目での観察効果が悪いだけではなく、画像の認識効果も非常に悪く、魚眼レンズの実用性を低下させてしまう。このため、写真芸術分野以外、魚眼画像が人の目での観察に適するように補正され、又は、画像認識技術で魚眼レンズの実用性を大きくしなければならない。魚眼画像補正は、２Ｄ補正と３Ｄ補正に分けられ、２Ｄ魚眼画像補正では、魚眼画像における画素を補正画像に直接マッピングし、３Ｄ魚眼画像補正では、魚眼画像における画素を空間中に投影させてから補正モデルに従って補正画像にマッピングする。
【０００４】
現在、市場には優れた魚眼レンズは少なくないが、魚眼画像に対する補正には多くの欠陥がある。魚眼画像補正は計算量が大きいため、多くのソフトウェアの方法では精確な補正が実現できるが、普通のプロセッサーは補正速度が遅く、より優れたプロセッサーはコストが比較的高く、消費電力が比較的大きい。一方、ハードウェアの方法では迅速な補正ができるが、その補正は柔軟性が足りないか、システム構造が合理的ではない。よって、仮想現実、遠隔テレビ会議及びパノラマ監視などの様々な用途が実現できるように、システム構造が簡単で、アップグレードしやすく、かつ魚眼画像を低コストで補正できるパノラマサラウンド表示システムは求められている。
【発明の概要】
【発明が解決しようとする課題】
【０００５】
本発明は、上記の従来技術に存在する多くの課題を解決しようとし、コスト効率が高く、構造が簡単で、幅広く適用できる反射式サラウンド表示システムを提供することを目的とする。以下の説明は、本発明の実施形態を簡潔にまとめることを目的とし、本発明の範囲を制限するものではない。
【課題を解決するための手段】
【０００６】
本発明の実施形態は、ソース画像を表示するための平面表示パネルと、前記平面表示パネルに対向して設けられ、前記ソース画像を反射するためのサラウンド反射面と、を含み、観察者が前記ソース画像に対応するサラウンド画像を観察できるように、前記サラウンド反射面を通じて前記ソース画像を反射する、反射式サラウンド表示システムを提供する。好ましくは、上記の本発明に係る実施形態において、前記サラウンド画像は、前記観察者に対して前記サラウンド反射面の後に形成された虚像であり、前記サラウンド画像は、いかなるスクリーンにも形成されない。好ましくは、上記の本発明に係る実施形態において、前記観察者は、前記サラウンド反射面に囲まれ、かつ前記サラウンド反射面の内周に位置し、前記観察者は、カメラまたは人の裸眼でもよい。
【０００７】
好ましくは、上記の本発明に係る実施形態において、前記ソース画像は、ミラー反転処理がなされた魚眼画像であり、前記魚眼画像は、動くビデオまたは静止の写真でもよく、前記サラウンド画像は、パノラマサラウンド画像である。
【０００８】
好ましくは、上記の本発明に係る実施形態において、前記サラウンド反射面は、母線が中心軸線の周りに回転して形成した軸対称形状であり、前記サラウンド反射面の中心軸線は、前記平面表示パネルに垂直し、かつ前記魚眼画像の中心を通る。
【０００９】
好ましくは、上記の本発明に係る実施形態において、前記サラウンド反射面の母線は、直線または曲線である。
【００１０】
好ましくは、上記の本発明に係る実施形態において、前記曲線は、放物線または弧線である。
【００１１】
好ましくは、上記の本発明に係る実施形態において、前記サラウンド反射面のサラウンド角度は、３６０度以下であり、前記ソース画像の有効画像領域は、前記サラウンド反射面のサラウンド角度に対応している。
【００１２】
好ましくは、上記の本発明に係る実施形態において、前記サラウンド角度は、３６０度、２７０度、１８０度または９０度である。
【００１３】
好ましくは、上記の本発明に係る実施形態において、１層または多層の前記サラウンド反射面を同軸方式で配置し、前記サラウンド反射面が１層を超えた場合、前記サラウンド反射面は、透明な材料で作製されるべきであり、前記ソース画像の有効画像領域は、２層またはより多くの層の前記サラウンド反射面と一々対応している。
【発明の効果】
【００１４】
本発明によって提供された反射式パノラマサラウンド表示システムは、構造が簡単で、コスト効率が高く、３６０度の範囲内（例えば、１８０度や、２７０度など）のパノラマサラウンド画像（動的なビデオまたは静的な写真）を表示し、その場に身をおくような疑似体験を観察者に提供することができる。
【００１５】
本発明に係る反射式サラウンド表示システムは、魚眼画像をソース画像として用いることができ、特に、市場にありふれた３６０度カメラまたは魚眼カメラで撮影した写真またはビデオを用いることができる。
【００１６】
本発明に係る反射式サラウンド表示システムは、ソース画像を反射し、かつソフトウェアによる処理を必要とせずにパノラマサラウンド画像をリアルタイムで形成することができる。ソース画像の解像度がどのようなものでもパノラマサラウンド画像をリアルタイムで形成することができる。
【００１７】
本発明に係る反射式サラウンド表示システムは、快適な裸眼仮想現実体験を提供することができる。観察者にとって、仮想現実に用いられる従来のヘッドマウントデバイスのように特定のメガネを着用する必要がないので、体験の快適さを大幅に向上させた。
【００１８】
本発明に係る反射式サラウンド表示システムは、遠隔テレビ会議や仮想現実などを含む、サラウンド表示システムを必要とする各種の用途に幅広く適用できる。
【００１９】
本発明に係る反射式パノラマサラウンド表示システムは、例えば、パノラマサラウンドディスプレイを第２ディスプレイとしたデスクトップコンピュータの、デバイスの内部を遠隔的に表示するパノラマサラウンド表示装置、及びこのようなパノラマサラウンド表示装置を用いた小型映画館等、様々な製品やサイズに用いることができる。
【００２０】
本発明の特徴、技術効果及び他の利点は、以下のように図面を組み合わせて更に説明することによって明らかになる。
【図面の簡単な説明】
【００２１】
本発明の実施例をより良く理解させるために図面を組み合わせて詳しく説明する。図中の構成部品が割合に従って作成されたものではない。以下、図面を参照して例示の形で本発明を説明する。
【図１】本発明の好ましい実施例に係る反射式パノラマサラウンド表示システムの断面構造配置を示す図であり、図中に円筒状のパノラマサラウンド図が示されている。
【図２】図１に示す反射式パノラマサラウンド表示システムにおけるサラウンド反射面の幾何構造略図であり、図中のサラウンド反射面の母線は直線である。
【図３】図１に示す反射式パノラマサラウンド表示システムの平面図である。
【図４】図１に示す反射式パノラマサラウンド表示システムにおける平面表示パネルに表示されている魚眼画像の一例である（ソース画像の出典：ｈｔｔｐｓ：／／ｔｈｅｔａ３６０．ｃｏｍ／ｅｎ／ｇａｌｌｅｒｙ／ｖｉｄｅｏｓ．ｈｔｍｌ）。
【図５】本発明の好ましい実施例に係る反射式パノラマサラウンド表示システムにおいて、観察者が見た、図４に示す魚眼画像に対応するサラウンド画像の一部を示す図である。
【図６】図１に示す反射式パノラマサラウンド表示システムにおける平面表示パネルに表示されている魚眼画像のもう一例である（ソース画像の出典：ｈｔｔｐｓ：／／ｗｗｗ．ｙｏｕｔｕｂｅ．ｃｏｍ／ｗａｔｃｈ？ｖ＝Ｈ６ＳｓＢ３ＪＹｑＱｇ）。
【図７】本発明の好ましい実施例に係る反射式パノラマサラウンド表示システムにおいて、観察者が見た、図６に示す魚眼画像に対応するサラウンド画像の一部を示す図である。
【図８】本発明の変形例に係る反射式パノラマサラウンド表示システムにおけるサラウンド反射面の幾何構造略図であり、図中のサラウンド反射面の母線が曲線である。
【図９】本発明の変形例に係る反射式パノラマサラウンド表示システムの局所の断面構造配置の略図であり、図中に球状サラウンド効果が示されている。
【図１０】本発明の変形例に係る反射式パノラマサラウンド表示システムの局所の断面構造配置の略図であり、図中により大きい垂直画角を有する球状サラウンド効果が示されている。
【図１１】本発明の変形例に係る反射式サラウンド表示システムの局所の断面構造配置の略図であり、図中に錐状サラウンド効果が示されている。
【図１２】本発明の変形例に係る反射式サラウンド表示システムの局所の断面構造配置の略図であり、図中に逆錐状サラウンド効果が示されている。
【図１３】本発明の変形例に係る反射式サラウンド表示システムの局所の断面構造配置の略図であり、図中にサラウンド反射面の中心回転軸が平面表示パネルに垂直していない配置様態が示されている。
【図１４】本発明の変形例に係る反射式サラウンド表示システムにおける非３６０度サラウンド反射面の略図であり、図中に１８０度サラウンドの例が示されている。
【図１５】本発明の変形例に係る反射式サラウンド表示システムにおける１８０度サラウンド反射面の適用例を示す図であり、サラウンド反射面の母線として４５度の直線（逆円錐形の面）にする構造と曲線（例えば、放物線）にする構造の両者が１６：９のビデオ放送方式における適用例を示している。
【発明を実施するための形態】
【００２２】
以下、本発明の好ましい実施例に係る技術内容、構造特徴及び達成しようとする技術目的と技術効果について、図面を組み合わせて詳しく説明する。次の本発明に対する詳細な説明において、「一実施例／変形例」や「ある実施例／変形例」などに言及したのは、全て説明された実施例／変形例がある特定の特徴、構造または特性を含む可能性があることを意味する。ただし、必ずしも実施例／変形例はいずれもこの特定の特徴、構造または特性を含む必要があるというわけではない。また、このような用語は必ずしも同じ実施例を指すとは限らない。なお、ある実施例／変形例を組み合わせて特定の特徴、構造または特性を説明する場合、明確に説明されるされないにかかわらず、実施例／変形例を組み合わせて当該特徴、構造または特性に影響を及ぼすことは、当業者の理解範囲内では認識されるべきである。
【００２３】
本発明に係る反射式パノラマサラウンド表示システムは、物理的構造上に次の２つの部品を具備しなければならない：
（ｉ）画像ソースを表示する側が（ｉｉ）のサラウンド反射面に臨んで取り付けられる（例えば、いくつかのファームウェア構造上に置かれている）平面表示パネル；
（ｉｉ）内反射面が（ｉ）の平面表示パネルに臨んで取り付けられる（例えば、いくつかのファームウェア構造上に置かれている）サラウンド反射面。
【００２４】
図１は、本発明の好ましい実施例に係る反射式パノラマサラウンド表示システムの断面構造配置を示す図であり、図中に円筒状のパノラマサラウンド図３が示されている。図２は、図１に示す反射式パノラマサラウンド表示システムにおけるサラウンド反射面の幾何構造略図であり、図中のサラウンド反射面の母線は直線である。図３は、図１に示す反射式パノラマサラウンド表示システムの平面図である。
【００２５】
図１〜図３は、本発明の基本とした好ましい実施例の構造と配置を示している。そのうち、平面表示パネル１は、サラウンド反射面２に臨む側に、ソース画像としての魚眼画像１２が表示されている。当該サラウンド反射面２の形状は、逆な切頭円錐面であり、その母線２２は、図中の矢印に示すようにソース画像を反射し、サラウンド反射面２の外周に１層の円柱形のパノラマサラウンド画像３を形成できるように、中心回転軸２１に対して適切な傾斜角度（４５度が好ましい）を有する。光学反射原理によれば、観察者Ｏが見た当該パノラマサラウンド画像３は虚像であり、いかなるスクリーンにも形成されない。また、当業者は、図２に示すように、直線を母線として形成した切頭円錐面をサラウンド反射面としたほうは、以下の図８、図９、及び図１０における他の変形例と比べて、コストがより低くて製造しやすいことを容易に理解できる。
【００２６】
好ましくは、図３に示すように、サラウンド反射面２の中心回転軸２１は、平面表示パネル１の法線１１と重なり、ソース画像としての魚眼画像１２の中心を通る。図３を参照して、平面表示パネル１には魚眼画像１２（例えば、動くビデオまたは静的な写真）が表示されており、魚眼画像１２の中心とサラウンド反射面２の中心回転軸がＸで重なる。
【００２７】
図４は、図１に示す反射式パノラマサラウンド表示システムにおける平面表示パネル１に表示されている魚眼画像１２の一例である。図５は、本発明の好ましい実施例に係る反射式パノラマサラウンド表示システムにおいて、観察者が見た、図４に示す魚眼画像に対応するサラウンド画像の一部を示す図である。図４に示す魚眼画像は、現実場面の俯角の位置から撮影したものであり、図中の円形の破線は、サラウンド反射面の外周に対応している。本発明の好ましい実施例に係る反射式パノラマサラウンド表示システムは、そのサラウンド反射面が、３６０度のパノラマ（水平方向の視野が連続している）サラウンド画像を形成するために当該魚眼画像を反射する。この場合では、当該サラウンド画像は、オリジナルの現実場面のサラウンドパノラマ視野を再現した。観察者の見ての通り、当該サラウンド画像はサラウンド反射面の後に位置し、人が平面鏡を見る場合と同様である。言い換えれば、当該サラウンド画像は虚像であり、いかなるスクリーンにも形成されない。観察者（例えば、裸眼またはカメラ）は、サラウンド反射面の内周に位置し、良好な観賞効果を得るために、観察者は、サラウンド反射面の中心軸付近に位置すべきである。図６は、図１に示す反射式パノラマサラウンド表示システムにおける平面表示パネル１に表示されている魚眼画像１２のもう一例であり、図中の円形の破線は、サラウンド反射面の外周に対応している。図７は、本発明の好ましい実施例に係る反射式パノラマサラウンド表示システムにおいて、観察者が見た、図６に示す魚眼画像に対応するサラウンド画像の一部を示す図である。
【００２８】
以下、本発明に係る反射式パノラマサラウンド表示システムを構成した各部品または要素について、図面を組み合わせて更に説明する。
【００２９】
＜平面表示パネル（Ｆｌａｔ  Ｄｉｓｐｌａｙ  Ｐｌａｎｅ）＞
本発明に係る反射式パノラマサラウンド表示システムに適用する平面表示パネルは、
ＬＥＤディスプレイ；
ビデオまたは画像プロジェクタから画像を投影するリアプロジェクションスクリーン；
２つ以上の平面パネルＬＥＤディスプレイを１つの平面で組み合わせて形成した装置；
及び、
光の十分な画像（例えば、公告のライトボックス）が生成できるあらゆる他の平面表示デバイス、
を含み、これらに限定されない。
【００３０】
＜サラウンド反射面（Ｓｕｒｒｏｕｎｄｉｎｇ  Ｒｅｆｌｅｃｔｉｖｅ  Ｓｕｒｆａｃｅ）＞
当該サラウンド反射面の幾何形状は、１本の母線に１つの中心回転軸の周りに回転させて形成するように記述または構造されることができる。図２において、この母線として直線２２にするのが好ましく、かつ、母線と中心回転軸の間の傾斜角を４５度に特に設けることができ、すなわち、図１に示すように、観察者を囲んでいる円柱形パノラマサラウンド画像を形成する。図８において、図２における直線の代わりに曲線２２を用いて母線とし、中心回転軸２１の周りに回転させて変形例としてのサラウンド反射面２を形成する。図９〜図１２に示す変形例のように、異なる形状を有する母線は、異なる形状を有するサラウンド反射面２を生成し、異なる形状を有するサラウンド反射面２及びサラウンド反射面２と平面表示パネル１の間の異なる配置により、異なる幾何形状を有するサラウンド視野効果が生成する。
【００３１】
図９は、本発明の変形例に係る反射式パノラマサラウンド表示システムの局所の断面構造配置の略図であり、図中に球状サラウンド効果が示されている。図１０は、本発明の変形例に係る反射式サラウンド表示システムの局所の断面構造配置の略図であり、図中により大きい垂直画角を有する球状サラウンド効果が示されている。図１１は、本発明の変形例に係る反射式サラウンド表示システムの局所の断面構造配置の略図であり、図中に錐状サラウンド効果が示されている。図１２は、本発明の変形例に係る反射式サラウンド表示システムの局所の断面構造配置の略図であり、図中に逆錐状サラウンド効果が示されている。言い換えれば、図９では球状視野の虚像を生成する。図１０では同様に球状視野の虚像を生成するが、垂直方向により大きい画角を有するため、劇場等の適用場所にも理想的に用いることができる。当業者は、観察者が虚像を見るときに最適な視覚的体験を取得できるように、図９〜図１２に示す異なるサラウンド効果を生成するための配置方法について、魚眼画像を生成するための魚眼レンズまたはソフトウェアの具体的なパラメータを選択できることを容易に理解できる。
【００３２】
図１３は、本発明の変形例に係る反射式サラウンド表示システムの局所の断面構造配置を示す図であり、図中にサラウンド反射面の中心軸が平面表示パネルに非垂直に配置されている様態が示されている。図１３の変形例では図１におけるサラウンド反射面２の幾何形状を用いたが、その中心回転軸（及び観察者の位置）は平面表示パネル１と傾斜角度θを有する。これは観察者が傾いたベッドに横たわる場面である可能性があり、この傾いたベッドには本発明に係るサラウンド表示システムが配置されている。この場合では、観察者が依然としてパノラマサラウンド効果を体験できるが、サラウンド反射面２の外周に形成されたパノラマサラウンド画像３の幾何形状は、対称な円柱状でもなければ、円錐形でもない。ひいては、この特定の場合において、反射式サラウンド表示システムによってサラウンド視野に適切にマッピングされるように、ソース画像も一般的な魚眼画像でなくてもよく、当該傾斜角度に応じて調整される必要がある。例えば、ソフトウェアによって調節されたソース画像の形式。
【００３３】
特定の視覚効果（一般的な用途ではない）に対して、サラウンド反射面は固定の母線（定線）を有する対称的形状に限定されないことを理解するのは当業者にとって難しくない。しかしながら、一般的な使用の場合では、水平に亘る視野に一致した３６０度パノラマサラウンド視覚効果を有させるために、固定の母線（曲線または直線）を有する対称的形状を採用すべきである。
【００３４】
＜ソース画像（Ｓｏｕｒｃｅ  Ｉｍａｇｅ）＞
本発明の好ましい実施例によれば、対称的幾何構造を有するサラウンド反射面の中心回転軸が平面表示パネルに垂直にしている場合、ソース画像として用いられる魚眼画像は、例えば、
３６０度カメラ（例えば、Ｒｉｃｏｈ  Ｔｈｅｔａ）で撮影したビデオまたは写真；
魚眼レンズを備えるビデオカメラまたはカメラで記録したビデオまたは写真；
平面パノラマ画像を魚眼画像に変換するコンピュータソフトウェアによって生成された魚眼画像；
でもよい。
【００３５】
ここで、以下のことを特に説明しなければならない。すなわち、本発明に係る反射式パノラマサラウンド表示システムにおいて、鏡面反射効果を相殺するために、平面表示パネルに表示されている魚眼画像は、ミラー反転（Ｍｉｒｒｏｒ−ｒｅｖｅｒｓａｌ）がなされた画像であるべきである。これは、画像再生ハードウェアまたはソフトウェアの画像ロールオーバー機能を介して実現することができる。例えば、ＬＥＤ  ＴＶ、デスクトップコンピュータまたはメディアプロジェクタは、サラウンド反射面の鏡面反射効果を相殺するために、画像を平面表示パネルに表示、再生または投影する。
【００３６】
なお、魚眼画像を生成する３６０度カメラまたはソフトウェアは、種類の異なる魚眼レンズまたは魚眼関数（Ｆｕｎｃｔｉｏｎ）を用いてもよい。しかしながら、比較的良い実際視覚効果を提供するために、反射面に適した特定の魚眼レンズまたは魚眼関数を選択してもよい。
【００３７】
＜サラウンド角度は３６０度未満（Ｌｅｓｓ−ｔｈａｎ−３６０−ｄｅｇｒｅｅ）＞
当業者は、上記の反射式パノラマサラウンド表示を容易に適用して、サラウンド角度が３６０度未満のパノラマサラウンド表示を実現することで、コスト効率がより高い製品を作製できることを容易に理解できる。図１４は、本発明の変形例に係る反射式パノラマサラウンド表示システムにおける非３６０度サラウンド反射面の略図であり、図中に１８０度サラウンドの例が示されている。この場合では、１つの１８０度サラウンド反射面２を用い、かつ比較的小さい平面表示パネル１を用いて魚眼画像の半分を表示すればよい。図１４の実施例は、１６：９のＬＥＤディスプレイを用いて平面表示パネル１とする場合に適する。これは、個人用のための１８０度パノラマサラウンド画像システムを提供するための、コスト効率が非常に高い方法になる。現在よく用いられる１６：９のビデオ放送様式に基づいた適用例について、図１５に示すように、ミラー反転がなされた１８０度（半円）等距離（線形）魚眼画像を規格として送信する（Ｍｉｒｒｏｒ  ｆｌｉｐｐｅｄ  １８０−ｄｅｇｒｅｅ  ｅｑｕｉｄｉｓｔａｎｔ  ｆｉｓｈｅｙｅ  ｉｍａｇｅ  ｉｓ  ｕｓｅｄ  ｆｏｒ  ｔｒａｎｓｍｉｓｓｉｏｎ）。送信媒体としては、テレビやインターネット放送チャンネル、ブルーレイディスク、または他のデジタルメディアなどを選択してもよい。図１５に示すように、パノラマサラウンド表示システムのサラウンド反射面２の母線としては、４５度の直線（逆円錐形の面）と曲線（例えば、放物線）の２つの構造が挙げられた。図中、平面表示パネル１（例えば、１６：９のＬＥＤ  ＴＶ）と母線が４５度の直線であるサラウンド反射面２とを含む構造を符号ａで表し、平面表示パネル１（例えば、１６：９のＬＥＤ  ＴＶ）と母線が曲線（例えば、放物線）であるサラウンド反射面２とを含む構造を符号ｂで表す。また、母線が４５度の直線（逆円錐形の面）であるサラウンド反射面２の構造について、受信した等距離魚眼画像を直接用いて表示することができる。母線が曲線（例えば、放物線）であるサラウンド反射面２の構造について、魚眼画像変換を通じて、例えば、外付けコンピュータまたはＴＶかプロジェクタに内蔵した画像変換チップを通じて、当該曲線反射面に適した特定の魚眼関数画像を生成することができる。このようにして、メーカーは、異なるコストおよび応用場合に対して、異なる形状と大きさを有するサランウド反射面を生産できる。
【００３８】
＜多層サランウド反射面（Ｍｕｌｔｉｐｌｅ−ｌａｙｅｒ  ｒｅｆｌｅｃｔｉｖｅ  ｓｕｒｆａｃｅ）＞
本発明の変形例によれば、１層を超えたパノラマサラウンド画像を生成するために、同一中心回転軸の周りに取り付けられた２層または多層のサランウド反射面（サラウンド角度は３６０度以下である）をさらに用いてもよく、サランウド反射面の材料が透明さえであればよく、例えば、ＰＶＣであればよい。この場合では、ソース画像としての魚眼画像は、それに応じて同一円心を有する複数の同心円によって構成されるようになり、そのうち、各リング状の魚眼画像は対応層のサランウド反射面に反射されることで、観察者からの距離の異なる位置に２層または多層の虚像が形成されることによって、特別な３Ｄ視覚効果が構成される。更なる変形例では、図２及び図８に基づいて、ここの多層サランウド反射面は、さらに中心軸から外側に向けて複数回螺旋運動することによって形成されてもよい。言うまでもなく、この場合では、この特殊構造を有する反射面に適合するように、ソース画像の形式をカスタマイズする必要がある。
【００３９】
＜本発明の利点及び広範囲での適用＞
本発明に係る反射式サラウンド表示システムは、平面表示パネルまたはソース画像の解像度に依存するものではない。例えば、製品がＬＥＤパネルディスプレイを平面表示パネルとして用いた場合、ＬＥＤパネルディスプレイを取り替えるだけで解像度のアップグレードを完了することができ、サラウンド反射面を変える必要なく、製品のケースまたは治具を変える必要さえもなく、同一サイズを有するＬＥＤパネルディスプレイさえ用いればよい。
【００４０】
本反射式サラウンド表示システムは、物理的反射面を利用した純粋な光学反射を介してパノラマサラウンド画像を形成し、あらゆるソフトウェア分割または混合処理も必要としない。
【００４１】
利用者または観察者は、装着型デバイスに被せられていないため、視覚体験がより快適になる。
【００４２】
本反射式サラウンド表示システムは、眩光（反射面によって生成された眩光）に抵抗でき、ほとんどの場合、観察者にとって眩光はほぼ存在しない。これにより、パノラマ画像の鮮明なビデオまたは写真を得ることが可能になる。
【００４３】
本反射式サラウンド表示システムの反射面の後に形成された画像（虚像）は、空間／奥行き効果の感覚を観察者に与える。
【００４４】
反射による部分的分極（Ｐａｒｔｉａｌ  Ｐｏｌａｒｉｚａｔｉｏｎ）効果は、観察者の目を楽にさせる。
【００４５】
本発明は、パノラマサラウンドディスプレイを第２ディスプレイとしたデスクトップコンピュータ、遠隔通信施設内部におけるパノラマテレビ会議用ディスプレイ、及びこのようなサラウンド表示システムを用いた小型映画館を含む、様々な製品やサイズに用いることができる。なお、いくつかの小型ビデオカメラ（例えば、腹腔鏡カメラ）を介して観察できるミクロパノラマ画像を生成するために、本発明は、さらに携帯電話スクリーンの上方におけるパノラマドッキングアダプタとしてもよい。
【００４６】
上記に披露したのは、本発明に係る好ましい実施例に過ぎず、もちろんこれによって本発明の特許請求の範囲を限定することができない。よって、本特許出願の範囲に従ってなした同等の変更は依然として本発明の範囲内に属する。上記の記述の目的は制限ではなく説明であると理解すべきである。例えば、上記の実施例（および／またはその態様）を互いに組み合わせて使用することができる。また、本発明の示唆によれば、具体的な状況または材料に合わせるように多くの変形を行ってもよく、本発明の範囲を逸脱することはない。上記の記述を読んだ上で、特許請求の範囲と精神内における他の多くの実施例および変形は当業者にとって自明である。
【図１】
2019518977.tif 000003
【図２】
2019518977.tif 000004
【図３】
2019518977.tif 000005
【図４】
2019518977.tif 000006
【図５】
2019518977.tif 000007
【図６】
2019518977.tif 000008
【図７】
2019518977.tif 000009
【図８】
2019518977.tif 000010
【図９】
2019518977.tif 000011
【図１０】
2019518977.tif 000012
【図１１】
2019518977.tif 000013
【図１２】
2019518977.tif 000014
【図１３】
2019518977.tif 000015
【図１４】
2019518977.tif 000016
【図１５】
2019518977.tif 000017
【国際調査報告】
2019518977.tif 000018
2019518977.tif 000019
2019518977.tif 000020
2019518977.tif 000021